(57)【要約】【課題】上下方向に小型化を図ることができる画像形成装置を提供すること。【解決手段】  画像形成装置１は、感光ドラム８Ｋ、８Ｙ、８Ｍ、８Ｃと、中間転写ベルト１５と、二次転写ローラ１６と、第１用紙トレイ７と、用紙ガイド２１とを備える。中間転写ベルト１５は、感光ドラム８Ｋ、８Ｙ、８Ｍ、８Ｃの下方に位置し、感光ドラム８Ｋ、８Ｙ、８Ｍ、８Ｃに接触する。二次転写ローラ１６は、中間転写ベルト１５に接触する。第１用紙トレイ７は、用紙を収容可能であり、中間転写ベルト１５の下方に位置する。用紙ガイド２１は、第１用紙トレイ７に収容された用紙を中間転写ベルト１５と二次転写ローラ１６との間に案内する。用紙ガイド２１は、上下方向において中間転写ベルト１５と第１用紙トレイ７との間に位置する。用紙ガイド２１は、湾曲部２２を有する。中間転写ベルト１５と二次転写ローラ１６の接触部Ｎ１は、湾曲部２２の上端部よりも下方に位置する。【選択図】図１
2018066816.tif 000002
【特許請求の範囲】
【請求項１】
感光ドラムと、
前記感光ドラムの下方に位置し、前記感光ドラムに接触する中間転写ベルトと、
前記中間転写ベルトに接触する二次転写ローラと、
用紙を収容可能であり、前記中間転写ベルトの下方に位置する第１用紙トレイと、
前記第１用紙トレイに収容された用紙を前記中間転写ベルトと前記二次転写ローラとの間に案内するための用紙ガイドであって、上下方向において前記中間転写ベルトと前記第１用紙トレイとの間に位置する用紙ガイドであって、湾曲部を有する用紙ガイドと、
を備え、
前記二次転写ローラと前記中間転写ベルトとの接触部は、前記湾曲部の上端部よりも下方に位置することを特徴とする、画像形成装置。
【請求項２】
底面を有する筐体を備え、
前記二次転写ローラと前記中間転写ベルトとの接触部は、前記湾曲部の上端部よりも前記底面に近いことを特徴とする、請求項１に記載の画像形成装置。
【請求項３】
前記中間転写ベルトを周回させるための第１ローラと、
前記第１ローラとともに前記中間転写ベルトを周回させるための第２ローラであって、前記二次転写ローラとの間に前記中間転写ベルトを挟む第２ローラであって、前記第１ローラよりも下方に位置する第２ローラと、を備えることを特徴とする、請求項１または請求項２に記載の画像形成装置。
【請求項４】
前記二次転写ローラは、前記第２ローラの下方に位置することを特徴とする、請求項３に記載の画像形成装置。
【請求項５】
前記湾曲部は、前記第１ローラの下方に位置することを特徴とする、請求項３または請求項４に記載の画像形成装置。
【請求項６】
前記第１ローラは、軸線方向に延びる第１軸線について回転可能であり、
前記第２ローラは、前記軸線方向に延びる第２軸線について回転可能であり、
前記二次転写ローラは、前記第１軸線と前記第２軸線を結ぶ第１方向と直交する第２方向において、前記第２ローラと前記第１用紙トレイの間に位置することを特徴とする、請求項３から請求項５のいずれか一項に記載の画像形成装置。
【請求項７】
前記第２ローラおよび前記二次転写ローラは、前記第１方向において、前記第１ローラに対して移動可能であることを特徴とする、請求項６に記載の画像形成装置。
【請求項８】
前記中間転写ベルトは、
前記感光ドラムに接触する第１部分であって、前記第１ローラと前記第２ローラとの間に位置する第１部分と、
前記第１部分に対して前記感光ドラムの反対側に位置する第２部分であって、前記第１ローラと前記第２ローラとの間に位置する第２部分と、を有し、
前記用紙ガイドは、
用紙搬送方向において前記湾曲部の下流側に位置する第１用紙ガイドであって、第１用紙搬送ローラを含む第１用紙ガイドを有し、
前記第１用紙ガイドは、前記第２部分に沿うことを特徴とする、請求項６または請求項７に記載の画像形成装置。
【請求項９】
前記用紙ガイドは、第１用紙搬送ローラと、前記第１用紙搬送ローラと接触する第２用紙搬送ローラと、を備え、
前記二次転写ローラと前記中間転写ベルトとの接触部は、前記第１用紙搬送ローラと前記第２用紙搬送ローラと接触部よりも下方に位置することを特徴とする、請求項１から請求項５のいずれか一項に記載の画像形成装置。
【請求項１０】
筐体と、
前記筐体に着脱可能な転写ユニットであって、前記中間転写ベルトと、前記二次転写ローラと、前記中間転写ベルトを周回させるための第１ローラと、前記第１ローラとともに前記中間転写ベルトを周回させるための第２ローラであって、前記二次転写ローラとの間に前記中間転写ベルトを挟む第２ローラであって、前記第１ローラよりも下方に位置する第２ローラと、を備える転写ユニットと、を備え、
前記用紙ガイドは、
用紙搬送方向において前記湾曲部の下流側に位置する第１用紙ガイドであって、第１用紙搬送ローラを含む第１用紙ガイドと、
前記用紙搬送方向において前記湾曲部の下流側に位置し、前記第２用紙搬送ローラを含む第２用紙ガイドと、を有し、
前記筐体は、前記第１用紙ガイドを有し、
前記転写ユニットは、前記第２用紙ガイドを有する、ことを特徴とする、請求項９に記載の画像形成装置。
【請求項１１】
前記用紙ガイドは、
前記用紙搬送方向において前記第１用紙ガイドの下流側に位置する第３用紙ガイドと、
前記用紙搬送方向において前記第２用紙ガイドの下流側に位置する第４用紙ガイドであって、前記第３用紙ガイドと向かい合う第４用紙ガイドと、を有し、
前記転写ユニットは、
前記第１ローラを支持する第１フレームであって、前記第２用紙ガイドと前記第４用紙ガイドとを含む第１フレームと、
前記第２ローラおよび前記二次転写ローラを支持する第２フレームであって、前記第３用紙ガイドを含む第２フレームであって、前記用紙搬送方向において、前記第１フレームに対して移動可能な第２フレームと、を有することを特徴とする、請求項１０に記載の画像形成装置。
【請求項１２】
前記第２フレームは、前記第３用紙ガイドから前記第４用紙ガイドに向けて突出する突出部であって、前記第３用紙ガイドと前記第４用紙ガイドとの間に位置する突出部であり、前記第４用紙ガイドに接触する突出部を備えることを特徴とする、請求項１１に記載の画像形成装置。
【請求項１３】
開口を有する筐体を備え、
前記用紙ガイドは、
前記開口から前記第１用紙ガイドに用紙を案内するための手差し用紙ガイドを有し、
前記中間転写ベルトと前記二次転写ローラの接触部は、前記開口よりも下方に位置することを特徴とする請求項１０から請求項１２のいずれか一項に記載の画像形成装置。
【請求項１４】
前記中間転写ベルトを周回させるための第１ローラと、
前記第１ローラとともに前記中間転写ベルトを周回させるための第２ローラであって、前記二次転写ローラとの間に前記中間転写ベルトを挟む第２ローラと、
を備え、
第２用紙トレイに支持された用紙を給紙するための給紙ローラであって、前記第２用紙トレイと前記用紙ガイドとの間に位置する給紙ローラであって、前記第１ローラの下方に位置する給紙ローラと、を備えることを特徴とする、請求項１に記載の画像形成装置。
【発明の詳細な説明】
【技術分野】
【０００１】
本開示は、画像形成装置に関する。
【背景技術】
【０００２】
従来、特許文献１に記載されるように、感光ドラムと、中間転写ベルトと、二次転写ローラと、用紙トレイと、用紙ガイドとを備える画像形成装置が知られている。中間転写ベルトは、感光ドラムの下方に位置し、感光ドラムに接触する。二次転写ローラは、中間転写ベルトに接触する。用紙トレイは、中間転写ベルトの下方に位置し、用紙を収容する。用紙ガイドは、用紙トレイ内の用紙を、中間転写ベルトと二次転写ローラとの間に案内する。用紙ガイドは、湾曲部を有する。
【先行技術文献】
【特許文献】
【０００３】
【特許文献１】特開２０１３−０６４９５３号公報
【発明の概要】
【発明が解決しようとする課題】
【０００４】
しかし、特許文献１に記載の画像形成装置では、上下方向において、スペースができる。
【０００５】
そのため、画像形成装置を上下方向に小型化することが困難である。
【０００６】
そこで、本開示の目的は、上下方向に小型化を図ることができる画像形成装置を提供することにある。
【課題を解決するための手段】
【０００７】
本開示の画像形成装置は、感光ドラムと、中間転写ベルトと、二次転写ローラと、用紙を収容可能な第１用紙トレイと、第１用紙トレイに収容された用紙を中間転写ベルトと二次転写ローラとの間に案内するための用紙ガイドとを備える。中間転写ベルトは、感光ドラムの下方に位置する。中間転写ベルトは、感光ドラムに接触する。二次転写ローラは、中間転写ベルトに接触する。第１用紙トレイは、中間転写ベルトの下方に位置する。用紙ガイドは、上下方向において、中間転写ベルトと第１用紙トレイとの間に位置する。用紙ガイドは、湾曲部を有する。中間転写ベルトと二次転写ローラの接触部は、湾曲部の上端部よりも下方に位置する。
【０００８】
このような構成によれば、二次転写ローラは、湾曲部の上端部よりも下方に位置する。つまり、上下方向において、二次転写ローラを、第１用紙トレイに近づけて配置することができる。
【０００９】
そのため、上下方向において、中間転写ベルトと第１用紙トレイとの間のスペースを小さくすることができる。
【００１０】
その結果、画像形成装置を上下方向に小型化することができる。
【発明の効果】
【００１１】
本開示の画像形成装置によれば、上下方向に小型化を図ることができ、かつ、用紙の撓みを抑制できる。
【図面の簡単な説明】
【００１２】
【図１】図１は、第１実施形態の画像形成装置の概略構成図である。
【図２】図２は、図１に示す画像形成装置であって、トップカバーが開位置に位置した状態を示す。
【図３】図３は、図１に示す転写ユニットの着脱を説明するための説明図である。
【図４】図４は、図１に示す転写ユニットの断面図である。
【図５】図５は、図４に示す転写ユニットの側面図であって、搬送管が取り外された状態を示す。
【図６】図６は、図４に示す転写ユニットの断面図であって、搬送管の断面を示す断面図である。
【図７】図７は、図１に示す画像形成装置の廃トナーの搬送を説明するための説明図である。
【図８】図８は、第２実施形態の画像形成装置の概略構成図である。
【図９】図９は、図８に示す画像形成装置であって、ドロワが外側位置に位置した状態を示す。
【発明を実施するための形態】
【００１３】
［第１実施形態］
１．画像形成装置の概略
図１および図２を参照して、第１実施形態の画像形成装置１の概略について説明する。
【００１４】
図１に示すように、画像形成装置１は、筐体２と、複数のプロセスカートリッジ３Ｋ、３Ｙ、３Ｍ、３Ｃと、複数のＬＥＤアレイ４Ｋ、４Ｙ、４Ｍ、４Ｃと、転写ユニット５と、定着器６と、第１用紙トレイ７と、ピックアップローラ１８と、第２用紙トレイ５２と、第３用紙トレイ６１と、用紙ガイド２１と、両面印刷ガイド７１とを備える。
【００１５】
１．１  筐体
筐体２は、画像形成装置１の外装を構成する。複数のプロセスカートリッジ３Ｋ、３Ｙ、３Ｍ、３Ｃは、筐体２に装着されたときに、筐体２の内部に収容される。筐体２は、開口２Ａ（図２参照）と、底面２Ｂとを有する。開口２Ａは、複数のプロセスカートリッジ３Ｋ、３Ｙ、３Ｍ、３Ｃが筐体２に対して着脱されるときに、複数のプロセスカートリッジ３Ｋ、３Ｙ、３Ｍ、３Ｃの通過を許容する。底面２Ｂは、画像形成装置１が所定の平面に載置されるときに、所定の平面に向かい合う。筐体２は、トップカバー２Ｃを備える。トップカバー２Ｃは、開口２Ａを開放する開位置（図２参照）と、開口２Ａを閉鎖する閉位置との間を回動可能である。トップカバー２Ｃは、軸線方向に延びる軸線Ａについて回動可能である。トップカバー２Ｃが閉位置に位置する状態において、トップカバー２Ｃの上面Ｓは、底面２Ｂに対して、傾斜する。詳しくは、トップカバー２Ｃが閉位置に位置する状態において、トップカバーの上面Ｓは、軸線Ａに近づくにつれて、下方に傾斜する。
【００１６】
１．２  プロセスカートリッジ
複数のプロセスカートリッジ３Ｋ、３Ｙ、３Ｍ、３Ｃは、それぞれ、トップカバー２Ｃが開位置（図２参照）に位置するときに、開口２Ａを介して、筐体２に対して着脱可能である。複数のプロセスカートリッジ３Ｋ、３Ｙ、３Ｍ、３Ｃは、第１方向に並ぶ。詳しくは、複数のプロセスカートリッジ３Ｋ、３Ｙ、３Ｍ、３Ｃは、第１方向において、互いに間隔を隔てて並ぶ。複数のプロセスカートリッジ３Ｋ、３Ｙ、３Ｍ、３Ｃは、それぞれ同じ構造を有する。そのため、以下の説明において、プロセスカートリッジ３Ｋの構造について説明し、プロセスカートリッジ３Ｙ、３Ｍ、３Ｃの構造については、説明を省略する。
【００１７】
プロセスカートリッジ３Ｋは、感光ドラム８Ｋと、帯電ローラ９Ｋと、現像ユニット１０Ｋと、ドラムクリーナ１１Ｋとを備える。すなわち、画像形成装置１は、感光ドラム８Ｋと、帯電ローラ９Ｋと、現像ユニット１０Ｋと、ドラムクリーナ１１Ｋとを備える。
【００１８】
帯電ローラ９Ｋは、感光ドラム８Ｋの周面を帯電するように構成される。帯電ローラ９Ｋは、感光ドラム８Ｋの周面に接触する。
【００１９】
図２に示すように、現像ユニット１０Ｋは、プロセスカートリッジ３Ｋに対して着脱可能である。現像ユニット１０Ｋは、感光ドラム８Ｋの周面にトナーを供給するように構成される。詳しくは、現像ユニット１０Ｋは、トナーを収容可能である。現像ユニット１０Ｋは、現像ローラ１２Ｋを備える。現像ローラ１２Ｋは、現像ユニット１０Ｋ内のトナーを、感光ドラム８Ｋの周面に供給するように構成される。現像ローラ１２Ｋは、現像ユニット１０Ｋがプロセスカートリッジ３Ｋに装着されたときに、感光ドラム８Ｋの周面に接触する。
【００２０】
ドラムクリーナ１１Ｋは、感光ドラム８Ｋの周面からトナーを除去するための構成である。
【００２１】
１．３  ＬＥＤアレイ
複数のＬＥＤアレイ４Ｋ、４Ｙ、４Ｍ、４Ｃは、第１方向に並ぶ。詳しくは、複数のＬＥＤアレイ４Ｋ、４Ｙ、４Ｍ、４Ｃは、第１方向において、互いに間隔を隔てて並ぶ。複数のＬＥＤアレイ４Ｋ、４Ｙ、４Ｍ、４Ｃは、トップカバー２Ｃに取り付けられる。複数のＬＥＤアレイ４Ｋ、４Ｙ、４Ｍ、４Ｃは、それぞれ同じ構造を有する。そのため、以下の説明において、ＬＥＤアレイ４Ｋの構造について説明し、ＬＥＤアレイ４Ｙ、４Ｍ、４Ｃの構造については、説明を省略する。
【００２２】
ＬＥＤアレイ４Ｋは、感光ドラム８Ｋの周面を露光するための構成である。ＬＥＤアレイ４Ｋは、プロセスカートリッジ３Ｋが筐体２に装着され、トップカバー２Ｃが閉位置に位置したときに、感光ドラム８Ｋの上に位置する。
【００２３】
１．４  転写ユニット
転写ユニット５は、感光ドラム８Ｋ、８Ｙ、８Ｍ、８Ｃの周面のトナー像を用紙に転写するように構成される。転写ユニット５は、第１ローラ１３、第２ローラ１４、中間転写ベルト１５および二次転写ローラ１６を備える。すなわち、画像形成装置１は、第１ローラ１３、第２ローラ１４、中間転写ベルト１５および二次転写ローラ１６を備える。
【００２４】
第１ローラ１３は、中間転写ベルト１５を周回させるための構成である。第１ローラ１３は、軸線方向に延びる第１軸線Ａ１１について回転可能である。第１ローラ１３は、駆動力が入力される駆動ローラである。
【００２５】
第２ローラ１４は、第１ローラ１３とともに中間転写ベルト１５を周回させるための構成である。第２ローラ１４は、二次転写ローラ１６との間に中間転写ベルト１５を挟む。第２ローラ１４は、軸線方向に延びる第２軸線Ａ１２について回転可能である。第２ローラ１４は、第１ローラ１３によって移動する中間転写ベルト１５に従い回転する従動ローラである。
【００２６】
第２ローラ１４は、第１方向において、第１ローラ１３と並ぶ。詳しくは、第２ローラ１４は、第１方向において、第１ローラ１３と間隔を隔てて並ぶ。第１方向は、第１軸線Ａ１１と第２軸線Ａ１２を結ぶ方向である。第２ローラ１４は、第１ローラ１３よりも下方に位置する。詳しくは、第２軸線Ａ１２は、第１軸線Ａ１１よりも下方に位置する。
【００２７】
中間転写ベルト１５は、感光ドラム８Ｋ、８Ｙ、８Ｍ、８Ｃの下方に位置する。中間転写ベルト１５は、感光ドラム８Ｋ、８Ｙ、８Ｍ、８Ｃに接触する。中間転写ベルト１５は、無端状のベルトである。中間転写ベルト１５は、第１ローラ１３および第２ローラ１４に掛けられる。詳しくは、中間転写ベルト１５は、第１ローラ１３および第２ローラに掛けられた状態において、第１方向に延びる。中間転写ベルト１５は、第１ローラ１３および第２ローラ１４の周りを周回する。中間転写ベルト１５は、底面２Ｂに対して、傾斜する。詳しくは、中間転写ベルト１５は、底面２Ｂに対して、定着器６に近づくにつれて下方に傾斜する。中間転写ベルト１５は、第１部分１５Ａと、第２部分１５Ｂとを有する。第１部分１５Ａは、第１ローラ１３と第２ローラ１４との間に位置する。第１部分１５Ａは、第１方向に延びる。第１部分１５Ａは、感光ドラム８Ｋ、８Ｙ、８Ｍ、８Ｃに接触する。第２部分１５Ｂは、第１部分１５Ａに対して、感光ドラム８Ｋ、８Ｙ、８Ｍ、８Ｃの反対側に位置する。具体的には、第２部分１５Ｂは、第１部分１５Ａの下方に位置する。第２部分１５Ｂは、第１ローラ１３と第２ローラ１４との間に位置する。第２部分１５Ｂは、第１方向に延びる。
【００２８】
二次転写ローラ１６は、感光ドラム８Ｋ、８Ｙ、８Ｍ、８Ｃから中間転写ベルト１５に転写されたトナー像を、中間転写ベルト１５から用紙に転写するように構成される。二次転写ローラ１６は、第２ローラ１４の下方に位置する。二次転写ローラ１６は、中間転写ベルト１５に接触する。詳しくは、二次転写ローラ１６は、第２ローラ１４との間に、中間転写ベルト１５を挟む。二次転写ローラ１６は、第１方向と直交する第２方向において、第２ローラ１４と第１用紙トレイ７の間に位置する。
【００２９】
１．５  定着器
定着器６は、トナー像が転写された用紙を加熱および加圧することにより、用紙にトナー像を定着させるように構成される。定着器６は、第１方向において、第２ローラ１４に対して、第１ローラ１３の反対側に位置する。定着器６は、第１方向において、二次転写ローラ１６と間隔を隔てる。定着器６を通過した用紙は、第３用紙トレイ６１が閉位置に位置するときには、排紙ガイド１７によって上方へ案内され、トップカバー２Ｃの上に排紙される。
【００３０】
１．６  第１用紙トレイ
第１用紙トレイ７は、用紙を収容可能である。詳しくは、第１用紙トレイ７は、用紙を収容するための収容部７Ａを備える。第１用紙トレイ７は、第１方向において、筐体２に対して移動可能である。第１用紙トレイ７は、収容部７Ａが筐体２の外側に位置する外側位置と、収容部７Ａが筐体２の内側に位置する内側位置との間を移動可能である。これにより、ユーザは、第１用紙トレイ７を外側位置に移動させた後、収容部７Ａに用紙を補給することができる。第１用紙トレイ７は、内側位置に位置するときに、中間転写ベルト１５の下方に位置する。第１用紙トレイ７が内側位置に位置するときに、第１用紙トレイ７内に収容された用紙は、後述する用紙ガイド２１によって案内されることにより、所定のタイミングで、中間転写ベルト１５と二次転写ローラ１６との間に供給される。詳しくは、第１用紙トレイ７は、第１方向に延びる。第１用紙トレイ７は、第１方向において、一端部と、他端部とを有する。一端部は、第１ローラ１３の下に位置する。他端部は、第１方向において、一端部から離れる。
【００３１】
１．７  ピックアップローラ
ピックアップローラ１８は、第１用紙トレイ７が内側位置に位置するときに、第１用紙トレイ７内に収容された用紙を、ピックアップするように構成される。ピックアップローラ１８は、第１用紙トレイ７が内側位置に位置するときに、第１用紙トレイ７の一端部の上方に位置する。ピックアップローラ１８によってピックアップされた用紙は、用紙ガイド２１に向かって搬送される。
【００３２】
１．８  第２用紙トレイ
第２用紙トレイ５２は、用紙を支持するための構成である。第２用紙トレイ５２は、第１用紙トレイ７よりも上方に位置する。詳しくは、筐体２は、開口５１を有する。開口５１は、用紙が挿入されることを許容する。第２用紙トレイ５２は、開口５１に挿入された用紙を支持可能である。第２用紙トレイ５２は、開口５１を閉鎖する第１位置と、開口５１を開放する第２位置との間を移動可能である。第２用紙トレイ５２は、第２位置に位置するときに、用紙を支持可能である。
【００３３】
１．９  第３用紙トレイ
第３用紙トレイ６１は、定着器６を通過した用紙を支持するための構成である。詳しくは、筐体２は、開口６２を有する。開口６２は、定着器６を通過した用紙が通過することを許容する。第３用紙トレイ６１は、開口６２を通過した用紙を支持する。第３用紙トレイ６１は、開口６２を閉鎖する閉位置と、開口６２を開放する開位置との間を移動可能である。第３用紙トレイ６１は、開位置に位置するときに、定着器６を通過した用紙を支持可能である。第３用紙トレイ６１が開位置に位置するときに、定着器６を通過した用紙は、排紙ガイド１７を通らずに、第３用紙トレイ６１に支持される。
【００３４】
１．１０  用紙ガイド
用紙ガイド２１は、第１用紙トレイ７に収容された用紙を中間転写ベルト１５と二次転写ローラ１６との間に案内するための構成である。用紙ガイド２１は、上下方向において、中間転写ベルト１５と第１用紙トレイ７との間に位置する。
１．１１  両面印刷ガイド
両面印刷ガイド７１は、第３用紙トレイ６１が閉位置に位置し、画像形成装置１が両面印刷を実行するときに、定着器６を通過した用紙を、再度、中間転写ベルト１５と二次転写ローラ１６の接触部Ｎ１へ案内するための構成である。
【００３５】
２．用紙ガイドの詳細
以下、図１を参照して、用紙ガイド２１の詳細について説明する。
【００３６】
用紙ガイド２１は、湾曲部２２と、第１用紙ガイド２１Ａと、第２用紙ガイド２１Ｂと、第３用紙ガイド２１Ｃと、第４用紙ガイド２１Ｄと、手差し用紙ガイド２１Ｅと、を有する。
【００３７】
湾曲部２２は、第１用紙トレイ７に収容された用紙を上方へ案内するように構成される。湾曲部２２は、第１ローラ１３の下方に位置する。詳しくは、湾曲部２２は、上下方向において、第１用紙トレイ７の一端部と第１ローラ１３との間に位置する。湾曲部２２は、上方へ延びるとともに、第１方向において中間転写ベルト１５と二次転写ローラ１６との間に向かう方向へ湾曲する。中間転写ベルト１５と二次転写ローラ１６の接触部Ｎ１は、湾曲部２２の上端部Ｅ１よりも下方に位置する。詳しくは、中間転写ベルト１５と二次転写ローラ１６の接触部Ｎ１は、湾曲部２２の上端部Ｅ１よりも底面２Ｂに近い。詳しくは、二次転写ローラ１６は、湾曲部２２の上端部Ｅ１よりも下方に位置する。詳しくは、二次転写ローラ１６は、湾曲部２２の上端部Ｅ１よりも底面２Ｂに近い。さらに、詳しくは、中間転写ベルト１５と二次転写ローラ１６の接触部Ｎ１から底面２Ｂまでの長さＬ１は、湾曲部２２の上端部Ｅ１から底面２Ｂまでの長さＬ２よりも小さい。
【００３８】
第１用紙ガイド２１Ａ、第２用紙ガイド２１Ｂおよび第３用紙ガイド２１Ｃは、湾曲部２２によって案内された用紙を、中間転写ベルト１５と二次転写ローラ１６との間に案内するための構成である。
【００３９】
第１用紙ガイド２１Ａは、用紙を第１方向に案内するように構成される。第１用紙ガイド２１Ａは、用紙が搬送される方向、すなわち、用紙搬送方向において、湾曲部２２の下流側に位置する。第１用紙ガイド２１Ａは、中間転写ベルト１５の下方に位置する。第１用紙ガイド２１Ａは、第１方向に延びる。第１用紙ガイド２１Ａは、中間転写ベルト１５の第２部分１５Ｂに沿う。第１用紙ガイド２１Ａは、用紙搬送方向の下流側に向かうに従い、下方に傾斜する。第１用紙ガイド２１Ａは、中間転写ベルト１５に沿う。第１用紙ガイド２１Ａは、底面２Ｂに対して傾斜する。筐体２は、第１用紙ガイド２１Ａを有する。第１用紙ガイド２１Ａは、第１用紙搬送ローラ２７と、用紙搬送ローラ２５と、用紙搬送ローラ２３と、を含む。すなわち、用紙ガイド２１は、第１用紙搬送ローラ２７と、用紙搬送ローラ２５と、用紙搬送ローラ２３と、を備える。用紙搬送ローラ２５は、第１用紙搬送ローラ２７よりも用紙搬送方向の下流側に位置する。用紙搬送ローラ２３は、用紙搬送ローラ２５よりも用紙搬送方向の下流側に位置する。用紙搬送ローラ２３は、レジストローラである。
【００４０】
第２用紙ガイド２１Ｂは、用紙を第１方向に案内するように構成される。第２用紙ガイド２１Ｂは、用紙搬送方向において、湾曲部２２の下流側に位置する。第２用紙ガイド２１Ｂは、第１用紙ガイド２１Ａと向かい合う。第２用紙ガイド２１Ｂは、第１用紙ガイド２１Ａの上方に位置する。第２用紙ガイドは、中間転写ベルト１５の下方に位置する。第２用紙ガイド２１Ｂは、第１方向に延びる。第２用紙ガイド２１Ｂは、中間転写ベルト１５の第２部分１５Ｂに沿う。第２用紙ガイド２１Ｂは、用紙搬送方向の下流側に向かうに従い、下方に傾斜する。詳しくは、第２用紙ガイド２１Ｂは、中間転写ベルト１５に沿う。第２用紙ガイド２１Ｂは、底面２Ｂに対して傾斜する。詳しくは、第２用紙ガイド２１Ｂは、第１用紙ガイド２１Ａの上方に位置する。第２用紙ガイド２１Ｂは、上下方向において、第１用紙ガイド２１Ａと間隔を隔てる。転写ユニット５は、第２用紙ガイド２１Ｂを含む。すなわち、転写ユニット５は、第２用紙ガイド２１Ｂを有する。第２用紙ガイド２１Ｂは、第２用紙搬送ローラ２８と、用紙搬送ローラ２６と、用紙搬送ローラ２４を含む。すなわち、用紙ガイド２１は、第２用紙搬送ローラ２８と、用紙搬送ローラ２６と、用紙搬送ローラ２４を備える。第２用紙搬送ローラ２８は、第１用紙搬送ローラ２７と接触する。第２用紙搬送ローラ２８は、二次転写ローラ１６よりも上方に位置する。用紙搬送ローラ２６は、用紙搬送ローラ２５と接触する。用紙搬送ローラ２６は、第２用紙搬送ローラ２８よりも、用紙搬送方向の下流側に位置する。用紙搬送ローラ２６は、二次転写ローラ１６よりも上方に位置する。用紙搬送ローラ２４は、用紙搬送ローラ２３と接触する。用紙搬送ローラ２４は、用紙搬送ローラ２６よりも、用紙搬送方向の下流側に位置する。
【００４１】
第１用紙搬送ローラ２７と第２用紙搬送ローラ２８の接触部Ｎ２は、中間転写ベルト１５と二次転写ローラ１６の接触部Ｎ１よりも上方に位置する。言い換えると、中間転写ベルト１５と二次転写ローラ１６の接触部Ｎ１は、第１用紙搬送ローラ２７と第２用紙搬送ローラ２８の接触部Ｎ２よりも下方に位置する。用紙搬送ローラ２６と用紙搬送ローラ２５の接触部Ｎ３は、中間転写ベルト１５と二次転写ローラ１６の接触部Ｎ１よりも上方に位置する。詳しくは、用紙搬送ローラ２６と用紙搬送ローラ２５の接触部Ｎ３の長さＬ３は、中間転写ベルト１５と二次転写ローラ１６の接触部Ｎ１から底面２Ｂまでの長さＬ１よりも長い。
【００４２】
第３用紙ガイド２１Ｃは、用紙を中間転写ベルト１５と二次転写ローラ１６の接触部Ｎ１に案内するように構成される。第３用紙ガイド２１Ｃは、用紙搬送方向において、第１用紙ガイド２１Ａの下流側に位置する。第３用紙ガイド２１Ｃは、用紙搬送方向の下流側に向かうにつれて、上方に傾斜する。第３用紙ガイド２１Ｃは、用紙搬送方向の下流側に向かうにつれて、第２ローラ１４に近づくように傾斜する。転写ユニットは、第３用紙ガイド２１Ｃを含む。
【００４３】
第４用紙ガイド２１Ｄは、用紙を中間転写ベルト１５と二次転写ローラ１６の接触部Ｎ１に案内するように構成される。第４用紙ガイド２１Ｄは、第３用紙ガイド２１Ｃと向かい合う。第４用紙ガイド２１Ｄは、第３用紙ガイド２１Ｃの上方に位置する。第４用紙ガイド２１Ｄは、上下方向において、第３用紙ガイド２１Ｃと間隔を隔てて位置する。第４用紙ガイド２１Ｄは、用紙搬送方向において、第２用紙ガイド２１Ｂの下流側に位置する。第４用紙ガイド２１Ｄは、用紙搬送方向の下流側に向かうにつれて、上方に傾斜する。第４用紙ガイド２１Ｄは、用紙搬送方向の下流側に向かうにつれて、中間転写ベルト１５に近づくように傾斜する。そのため、用紙が第３用紙ガイド２１Ｃと第４用紙ガイド２１Ｄの間に搬送されたときに、用紙が、中間転写ベルト１５と接触する。その後、用紙は、中間転写ベルト１５と接触した状態で、中間転写ベルト１５と二次転写ローラ１６の接触部Ｎ１に搬送される。つまり、用紙と中間転写ベルト１５との間に隙間が無い状態で、用紙は、中間転写ベルト１５と二次転写ローラ１６の接触部Ｎ１に搬送される。そのため、二次転写ローラ１６に電力が供給されたときに、用紙と中間転写ベルト１５との間における放電を抑制できる。その結果、中間転写ベルト１５の周面のトナーが、中間転写ベルト１５と二次転写ローラ１６の接触部Ｎ１よりも用紙搬送方向の上流側において、逆極性に帯電し、用紙に飛散することを抑制できる。
【００４４】
手差し用紙ガイド２１Ｅは、第２用紙トレイ５２に支持され、かつ、開口５１に挿入された用紙を、開口５１から第１用紙ガイド２１Ａおよび第２用紙ガイド２１Ｂに案内するように構成される。手差し用紙ガイド２１Ｅは、中間転写ベルト１５と二次転写ローラ１６の接触部Ｎ１よりも上方に位置する。そのため、開口５１は、中間転写ベルト１５と二次転写ローラ１６の接触部Ｎ１よりも上方に位置する。中間転写ベルト１５と二次転写ローラ１６の接触部Ｎ１は、開口５１よりも下方に位置する。
【００４５】
３．両面印字ガイドの詳細
以下、図１を参照して、両面印刷ガイド７１の詳細について説明する。 
【００４６】
両面印刷ガイド７１は、湾曲部７１Ａと、用紙ガイド７１Ｃと、湾曲部７１Ｂと、を有する。用紙ガイド７１Ｃは、両面印刷ガイド７１における用紙搬送方向において、湾曲部７１Ａよりも下流側に位置する。湾曲部７１Ｂは、両面印刷ガイド７１における用紙搬送方向において、用紙ガイド７１Ｃよりも下流側に位置する。湾曲部７１Ａは、開口６２の下方に位置する。湾曲部７１Ｂの上端部Ｅ２は、中間転写ベルト１５と二次転写ローラ１６の接触部Ｎ１よりも上方に位置する。
【００４７】
４．第２用紙トレイの詳細
以下、図１を参照して、第２用紙トレイ５２の詳細について説明する。 
【００４８】
第２用紙トレイ５２は、中間転写ベルト１５と二次転写ローラ１６の接触部Ｎ１よりも上方に位置する。第２用紙トレイ５２は、二次転写ローラ１６よりも上方に位置する。第２用紙トレイ５２は、開口５１よりも下方に位置する。
【００４９】
そのため、第２用紙トレイ５２に支持された用紙は、開口５１を通り、湾曲部２２を通らずに第１用紙ガイド２１Ａ、第２用紙ガイド２１Ｂ、第３用紙ガイド２１Ｃおよび第４用紙ガイド２１Ｄにより、中間転写ベルト１５と二次転写ローラ１６との間に案内される。その結果、用紙が厚紙または封筒である場合に、厚紙または封筒を折り曲げることなく、中間転写ベルト１５と二次転写ローラ１６との間に搬送することができる。
【００５０】
さらに、第３用紙トレイ６１が開位置に位置する場合、第２用紙トレイ５２に支持された用紙は、湾曲部２２を通らずに、中間転写ベルト１５と二次転写ローラ１６との間に案内され、さらに、定着器６を通過した後、排紙ガイド１７を通らずに、第３用紙トレイ６１に支持される。その結果、用紙が厚紙または封筒である場合に、厚紙または封筒を折り曲げることなく、筐体２の外部に排紙することができる。
【００５１】
５．転写ユニット
以下、図３から図７を参照して、転写ユニット５の詳細について説明する。
【００５２】
図３に示すように、転写ユニット５は、筐体２に着脱可能である。詳しくは、転写ユニット５は、感光ドラム８Ｋ、８Ｙ、８Ｍ、８Ｃ（図２参照）のすべてが筐体２から離脱した状態で、開口２Ａを介して、筐体２に着脱可能である。より詳しくは、転写ユニット５は、複数のプロセスカートリッジ３Ｋ、３Ｙ、３Ｍ、３Ｃ（図２参照）のすべてが筐体２から離脱した状態で、開口２Ａを介して、筐体２に着脱可能である。
【００５３】
転写ユニット５が筐体２から離脱することにより、第２用紙ガイド２１Ｂは、第１用紙ガイド２１Ａから離れる。すなわち、転写ユニット５が筐体２から離脱することにより、第１用紙搬送ローラ２７は、第２用紙搬送ローラ２８から離れる。転写ユニット５が筐体２から離脱することにより、用紙搬送ローラ２５は、用紙搬送ローラ２６から離れる。さらに、転写ユニット５が筐体２から離脱することにより、用紙搬送ローラ２３は、用紙搬送ローラ２４から離れる。これにより、第１用紙ガイド２１Ａと第２用紙ガイド２１Ｂとの間に用紙が詰まった場合に、ユーザは、転写ユニット５を筐体２から取り外した後、第１用紙ガイド２１Ａと第２用紙ガイド２１Ｂとの間に詰まった用紙を取り除くことができる。転写ユニットは、第３用紙ガイド２１Ｃと、第４用紙ガイド２１Ｄとを含む。
【００５４】
図４および図６に示すように、転写ユニット５は、第１フレーム３１と、第２フレーム３２と、ベルトクリーナ４１と、搬送管４２とを有する。
【００５５】
５．１  第１フレームおよび第２フレーム
図４および図５に示すように、第１フレーム３１は、第１ローラ１３を支持する。第１フレーム３１は、第２用紙ガイド２１Ｂと、第４用紙ガイド２１Ｄとを含む。詳しくは、第１フレーム３１は、２つの側板３１Ａ、３１Ｂを備える。側板３１Ａと側板３１Ｂとは、軸線方向において、互いに間隔を隔てる。側板３１Ａ、３１Ｂは、第１方向に延びる。第１ローラ１３は、軸線方向において、側板３１Ａと側板３１Ｂとの間に位置する。側板３１Ａおよび側板３１Ｂは、第１ローラ１３を支持する。第２用紙ガイド２１Ｂは、軸線方向において、側板３１Ａと側板３１Ｂとの間に位置する。側板３１Ａ、３１Ｂは、それぞれ、長穴３１Ｃを有する。長穴３１Ｃは、用紙搬送方向に延びる。具体的には、長穴３１Ｃは、第１方向に延びる。
【００５６】
第２フレーム３２は、第２ローラ１４および二次転写ローラ１６を支持する。第２フレーム３２は、第３用紙ガイド２１Ｃを含む。第２フレーム３２は、用紙搬送方向において、第１フレーム３１に対して移動可能である。言い換えると、第２フレーム３２は、第１方向において、第１フレーム３１に対して移動可能である。詳しくは、第２フレーム３２は、軸線方向において、側板３１Ａと側板３１Ｂとの間に位置する。第２フレーム３２は、２つの側板３２Ａ、３２Ｂを備える。側板３２Ａと側板３２Ｂとは、軸線方向において、互いに間隔を隔てる。側板３２Ａ、３２Ｂは、第１方向に延びる。第２ローラ１４は、軸線方向において、側板３２Ａと側板３２Ｂとの間に位置する。側板３２Ａおよび側板３２Ｂは、第２ローラ１４を支持する。第３用紙ガイド２１Ｃは、軸線方向において、側板３２Ａと側板３２Ｂとの間に位置する。側板３２Ａ、３２Ｂは、それぞれ、ボス３２Ｃを備える。ボス３２Ｃは、円筒形状を有する。側板３２Ａのボス３２Ｃは、側板３２Ａから側板３１Ａに向かって軸線方向に延びる。側板３２Ｂのボス３２Ｃは、側板３２Ｂから側板３１Ｂに向かって軸線方向に延びる。側板３２Ａのボス３２Ｃは、側板３１Ａの長穴３１Ｃに挿入される。側板３２Ｂのボス３２Ｃは、側板３１Ｂの長穴３１Ｃに挿入される。これにより、第２フレーム３２は、第１フレーム３１に支持され、かつ、用紙搬送方向において、第１フレーム３１に対して移動可能となる。言い換えると、第２フレーム３２は、第１フレーム３１に支持され、かつ、第１方向において、第１フレーム３１に対して移動可能となる。なお、ボス３２Ｃには、第２ローラ１４のシャフト１４Ａが挿入される。ボス３２Ｃは、ばね３３によって、第１方向において、第１ローラ１３から離れる方向に押圧されている。これにより、第２ローラ１４および第２フレーム３２は、第１方向において、第１ローラ１３から離れる方向へ押圧されている。つまり、第２ローラ１４および二次転写ローラ１６は、第１方向において、第１ローラに対して移動可能である。また、第２フレーム３２は、突出部３４を備える。
【００５７】
突出部３４は、第３用紙ガイド２１Ｃと第４用紙ガイド２１Ｄとの間に位置する。突出部３４は、第４用紙ガイド２１Ｄに接触する。突出部３４は、第３用紙ガイド２１Ｃから第４用紙ガイド２１Ｄに向けて突出する。突出部３４は、軸線方向において、第３用紙ガイド２１Ｃの両端部から第４用紙ガイド２１Ｄに向けて突出する。すなわち、突出部３４は、複数である。これにより、突出部３４は、第３用紙ガイド２１Ｃと第４用紙ガイド２１Ｄとの間隔を一定に保つ。その結果、第１用紙ガイド２１Ａと第２用紙ガイド２１Ｂとの間に案内された用紙は、第３用紙ガイド２１Ｃと第４用紙ガイドとの間を通過することができる。
【００５８】
５．２  ベルトクリーナ
図４に示すように、ベルトクリーナ４１は、中間転写ベルト１５の表面からトナーを除去するための構成である。ベルトクリーナ４１は、第２ローラ１４の上方に位置する。ベルトクリーナ４１は、搬送管４２を介して、第１フレーム３１に固定される。ベルトクリーナ４１は、クリーニングローラ４１Ａと、オーガ４１Ｂとを備える。
【００５９】
クリーニングローラ４１Ａは、中間転写ベルト１５の表面に接触する。クリーニングローラ４１Ａは、中間転写ベルト１５の表面からトナーを除去する。クリーニングローラ４１Ａによって除去されたトナーは、ベルトクリーナ４１の内部に収容される。オーガ４１Ｂは、ベルトクリーナ４１の内部に位置する。オーガ４１Ｂは、軸線方向に延びる。オーガ４１Ｂは、ベルトクリーナ４１の内部に収容されたトナーを軸線方向に搬送する。
【００６０】
５．３  搬送管
図６および図７に示すように、搬送管４２は、ドラムクリーナ１１Ｋ、１１Ｙ、１１Ｍ、１１Ｃ、および、ベルトクリーナ４１が除去したトナーを搬送するように構成される。搬送管４２は、第１フレーム３１の側板３１Ａに取り付けられる。搬送管４２は、第１方向に延びる。搬送管４２は、転写ユニット５が筐体２に装着されたときに、第１方向において、軸線Ａに近づく方向へ向かうにつれて、下方へ傾斜する。搬送管４２は、第１方向において、一端部と他端部とを備える。一端部は、第１方向において、軸線Ａに対して、他端部よりも近くに位置する。一端部は、ベルトクリーナ４１に連結される。これにより、搬送管４２は、オーガ４１Ｂによって搬送されたトナーを受け入れ可能である。搬送管４２は、転写ユニット５およびプロセスカートリッジ３Ｋ、３Ｙ、３Ｍ、３Ｃが筐体２に装着されたときに、一端部と他端部との間において、ドラムクリーナ１１Ｋ、１１Ｙ、１１Ｍ、１１Ｃと連結する。これにより、搬送管４２は、ドラムクリーナ１１Ｋ、１１Ｙ、１１Ｍ、１１Ｃ内のトナーを受け入れ可能である。また、搬送管４２の内部には、オーガ４２Ａが設けられる。オーガ４２Ａは、搬送管４２に沿って、第１方向に延びる。オーガ４２Ａは、搬送管４２内のトナーを第１方向に搬送する。
【００６１】
６．廃トナー収容部
以下、図７を参照して、廃トナー収容部４３の詳細について説明する。
【００６２】
画像形成装置１は、さらに、廃トナー収容部４３を備える。廃トナー収容部４３は、搬送管４２によって搬送されたトナーを収容するための構成である。廃トナー収容部４３は、筐体２に対して着脱可能である。廃トナー収容部４３は、転写ユニット５および廃トナー収容部４３が筐体２に装着されたときに、搬送管４２よりも下方に位置する。なお、廃トナー収容部４３は、筐体２に装着されたときに、軸線方向において、第１用紙トレイ７と並ぶ。廃トナー収容部４３は、筐体２に装着されたときに、接続管４４を介して、搬送管４２の一端部と接続される。これにより、廃トナー収容部４３は、筐体２に装着されたときに、搬送管４２によって搬送されたトナーを収容可能となる。
【００６３】
７．作用効果
画像形成装置１によれば、図１に示すように、二次転写ローラ１６は、湾曲部２２の上端部Ｅ１よりも下方に位置する。つまり、上下方向において、二次転写ローラ１６を、第１用紙トレイ７に近づけて配置することができる。
【００６４】
そのため、上下方向において、中間転写ベルト１５と第１用紙トレイ７との間のスペースを小さくすることができる。
【００６５】
また、湾曲部２２の曲率を大きくすることができるため、湾曲部２２に搬送された用紙の撓みを抑制できる。
【００６６】
その結果、画像形成装置１を上下方向に小型化することができ、かつ、用紙の撓みを抑制できる。
【００６７】
また、画像形成装置１によれば、図１に示すように、中間転写ベルト１５は、第１ローラ１３および第２ローラ１４に掛けられている。すなわち、中間転写ベルト１５は、２つのローラに掛けられている。
【００６８】
そのため、中間転写ベルト１５が３つのローラに掛けられている場合に比べ、転写ユニット５を小型化することができる。
【００６９】
その結果、画像形成装置１を小型化することができる。
【００７０】
また、中間転写ベルト１５と二次転写ローラ１６との接触部Ｎ１よりも用紙搬送方向の上流側に位置する用紙と中間転写ベルト１５の間に隙間があると、二次転写ローラ１６に電圧が印加されたときに、用紙と中間転写ベルト１５の間で放電が発生し、中間転写ベルト１５の周面のトナーが逆極性に帯電してしまい、転写不良が発生する。
【００７１】
画像形成装置１によれば、図１に示すように、二次転写ローラ１６は、第２方向において第２ローラ１４と第１用紙トレイ７の間に位置する。また、第１用紙ガイド２１Ａは、中間転写ベルト１５の第２部分１５Ｂに沿う。さらに、第３用紙ガイド２１Ｃおよび第４用紙ガイド２１Ｄは、中間転写ベルト１５の第２部分１５Ｂに沿い、かつ、第２ローラ１４に近づくように筐体２の底面２Ｂに対して傾斜する。
【００７２】
そのため、中間転写ベルト１５と二次転写ローラ１６の接触部Ｎ１よりも用紙搬送方向の上流側に位置する用紙と中間転写ベルト１５の間の隙間を小さくできる。
【００７３】
その結果、用紙と中間転写ベルト１５との間の放電を抑制し、転写不良を抑制できる。
【００７４】
８．変形例
第１実施形態では、ベルトクリーナ４１が、第１フレーム３１に固定されていた。しかし、ベルトクリーナ４１は、第２フレーム３２に固定されていてもよい。そのため、ベルトクリーナ４１は、第２ローラ１４と共に移動可能となる。
【００７５】
［第２実施形態］
図８および図９を参照して、第２実施形態の画像形成装置１００について説明する。なお、画像形成装置１００において、画像形成装置１と同様の部材には同様の符号を付し、説明を省略する。
【００７６】
１．給紙ローラ１０１
画像形成装置１００は、第２用紙トレイ５２に支持された用紙を給紙するための給紙ローラ１０１を備える。
【００７７】
給紙ローラ１０１は、第１方向において、第２用紙トレイ５２と用紙ガイド２１との間に位置する。給紙ローラ１０１は、第１ローラ１３の下方に位置する。詳しくは、給紙ローラ１０１は、上下方向において、第１ローラ１３と第１用紙トレイ７との間に位置する。
【００７８】
２．レーザースキャンユニット１０２
画像形成装置１００は、第１実施形態の画像形成装置１のＬＥＤアレイ４Ｋ、４Ｙ、４Ｍ、４Ｃの代わりに、レーザースキャンユニット１０２を備える。レーザースキャンユニット１０２は、感光ドラム８Ｋ、８Ｙ、８Ｍ、８Ｃのそれぞれに、レーザー光を出射して、感光ドラム８Ｋ、８Ｙ、８Ｍ、８Ｃのそれぞれを露光するように構成される。
【００７９】
３．プロセスカートリッジ１０３Ｋ、１０３Ｙ、１０３Ｍ、１０３Ｃ
画像形成装置１００は、第１実施形態の画像形成装置１の複数のプロセスカートリッジ３Ｋ、３Ｙ、３Ｍ、３Ｃの代わりに、複数のプロセスカートリッジ１０３Ｋ、１０３Ｙ、１０３Ｍ、１０３Ｃを備える。複数のプロセスカートリッジ１０３Ｋ、１０３Ｙ、１０３Ｍ、１０３Ｃは、それぞれ同じ構造を有する。そのため、以下の説明において、プロセスカートリッジ１０３Ｋの構造について説明し、プロセスカートリッジ１０３Ｙ、１０３Ｍ、１０３Ｃの構造については、説明を省略する。
【００８０】
プロセスカートリッジ１０３Ｋは、現像ユニット１０５Ｋを一体的に備える。詳しくは、プロセスカートリッジ１０３Ｋは、現像ユニット１０５Ｋを着脱不能に備える。
【００８１】
４．ドロワ１０６
また、画像形成装置１００は、複数のプロセスカートリッジ１０３Ｋ、１０３Ｙ、１０３Ｍ、１０３Ｃを支持可能なドロワ１０６を備える。
【００８２】
ドロワ１０６は、図８および図９に示すように、第１方向において、画像形成装置１００内に収容される内側位置と、内側位置から、画像形成装置１００の外に引き出された外側位置との間を移動可能である。複数のプロセスカートリッジ１０３Ｋ、１０３Ｙ、１０３Ｍ、１０３Ｃは、ドロワ１０６が外側位置に位置するときに、ドロワ１０６に対して、着脱可能である。
【００８３】
５．第２実施形態の作用効果
第２実施形態においても、第１実施形態と同様の作用効果を得ることができる。
【符号の説明】
【００８４】
１      画像形成装置
２      筐体
２Ｂ    底面
５      転写ユニット
７      第１用紙トレイ
８Ｃ    感光ドラム
８Ｋ    感光ドラム
８Ｍ    感光ドラム
８Ｙ    感光ドラム
１３    第１ローラ
１４    第２ローラ
１５    中間転写ベルト
１５Ａ  第１部分
１５Ｂ  第２部分
１６    二次転写ローラ
２１    用紙ガイド
２１Ａ  第１用紙ガイド
２１Ｂ  第２用紙ガイド
２１Ｃ  第３用紙ガイド
２１Ｄ  第４用紙ガイド
２１Ｅ  手差し用紙ガイド
２２    湾曲部
２７    第１用紙搬送ローラ
２８    第２用紙搬送ローラ
３１    第１フレーム
３２    第２フレーム
３４    突出部
５１    開口
１００  画像形成装置
１０１  給紙ローラ
Ａ１１  第１軸線
Ａ１２  第２軸線
Ｅ１    上端部
Ｎ１    接触部
Ｎ２    接触部
【図１】
2018066816.tif 000003
【図２】
2018066816.tif 000004
【図３】
2018066816.tif 000005
【図４】
2018066816.tif 000006
【図５】
2018066816.tif 000007
【図６】
2018066816.tif 000008
【図７】
2018066816.tif 000009
【図８】
2018066816.tif 000010
【図９】
2018066816.tif 000011